【手続補正書】
【提出日】令和2年12月4日(2020.12.4)
【手続補正１】
【補正対象書類名】明細書
【補正対象項目名】０００２
【補正方法】変更
【補正の内容】
【０００２】
通信技術の発展に伴い、第５世代移動通信技術（５Ｇ、第５世代）が検討されている。５Ｇシステムにおける無線アクセスは、新しい無線と呼ばれ、ＮＲ（Ｎｅｗ  Ｒａｄｉｏ）とも呼ばれる。５Ｇシステムにおいて、高度化モバイルブロードバンド（Ｅｎｈａｎｃｅｄ  Ｍｏｂｉｌｅ  Ｂｒｏａｄｂａｎｄ、  ｅＭＢＢ）、超高信頼低遅延通信（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ、  ＵＲＬＬＣ）、大規模マシンタイプ通信（ｍａｓｓｉｖｅ  Ｍａｃｈｉｎｅ  Ｔｙｐｅ  ｏｆ  Ｃｏｍｍｕｎｉｃａｔｉｏｎ、  ｍＭＴＣ）という３つの典型的な応用場面がある。ｅＭＢＢ場面は、従来のモバイルブロードバンドサービスを基本として、データ伝送速度を著しく高めることにより、さらにユーザ体験及びその他の性能を向上させる。ＵＲＬＬＣ場面は、自動又は補助運転、ＡＲ（Ａｕｇｍｅｎｔｅｄ  Ｒｅａｌｉｔｙ、拡張現実）、ＶＲ（Ｖｉｒｔｕａｌ  Ｒｅａｌｉｔｙ、仮想現実）、タッチインターネット及び産業制御を含む遅れに極めて敏感なサービスに適用される。ネットワーク遅れが大きければ、ＵＲＬＬＣサービスは正常に稼働できず、さらに制御エラーが発生する。
【手続補正２】
【補正対象書類名】明細書
【補正対象項目名】００４４
【補正方法】変更
【補正の内容】
【００４４】
具体的には、基地局は、１つ又は複数の制御チャネル検索空間又はＣＯＲＥＳＥＴを予め構成又は予め決定してもよい。指示情報を受信すると、端末は、第２チャネルに関連付けられる情報、例えば、指示情報における第２チャネルの時間領域リソース又は周波数領域リソースに基づいて、予め構成された制御チャネル検索空間又はＣＯＲＥＳＥＴから第２チャネルを検出することができる。第２チャネルを検出すると、端末は、第２チャネル上に携帯されているＤＣＩを取得するとともに、検出したＤＣＩに基づいて構成情報を復号することができる。復号動作は従来の復号技術を採用して、ここで、詳細な説明を省略する。変形例において、端末は時間帯を予め設定してもよい。前記時間帯内において、チャネル検索空間から構成情報が携帯されている第２チャネルを検出しなければ、基地局がまだ構成情報を送信していないことが示され、且つ該過程が終了する。
【手続補正３】
【補正対象書類名】明細書
【補正対象項目名】０１０１
【補正方法】変更
【補正の内容】
【０１０１】
なお、本願の実施例における第１メモリ１００２は、揮発性メモリ若しくは不揮発性メモリであってもよく、又は揮発性及び不揮発性メモリの両方を含むものであってもよく、そのうち、不揮発性メモリはＲＯＭ、ＰＲＯＭ（Ｐｒｏｇｒａｍｍａｂｌｅ  ＲＯＭ）、消去可能なＰＲＯＭ（Ｅｒａｓａｂｌｅ  ＰＲＯＭ、ＥＰＲＯＭ）、ＥＥＰＲＯＭ（Ｅｌｅｃｔｒｉｃａｌｌｙ  Ｅｒａｓａｂｌｅ  ＰＲＯＭ）又はフラッシュであってもよい。揮発性メモリは、外部キャッシュとして用いられるＲＡＭであってもよい。各種形態を使用可能なＲＡＭについては例示的に説明すると、例えば、スタティックＲＡＭ（Ｓｔａｔｉｃ  ＲＡＭ、ＳＲＡＭ）、ダイナミックＲＡＭ（Ｄｙｎａｍｉｃ  ＲＡＭ、ＤＲＡＭ）、シンクロナスＤＲＡＭ（Ｓｙｎｃｈｒｏｎｏｕｓ  ＤＲＡＭ、  ＳＤＲＡＭ）、ダブルデータレートＳＤＲＡＭ（Ｄｏｕｂｌｅ  Ｄａｔａ  Ｒａｔｅ  ＳＤＲＡＭ、ＤＤＲ  ＳＤＲＡＭ）、拡張ＳＤＲＡＭ（Ｅｎｈａｎｃｅｄ  ＳＤＲＡＭ、ＥＳＤＲＡＭ）、シンクリンクＤＲＡＭ（Ｓｙｎｃｈｌｉｎｋ  ＤＲＡＭ、ＳＬＤＲＡＭ）及びダイレクトラムバスＲＡＭ（Ｄｉｒｅｃｔ  Ｒａｍｂｕｓ  ＲＡＭ、ＤＲ  ＲＡＭ）が挙げられるが、これらに限定されるものではない。なお、本願において説明されるシステム及び方法に係るメモリは、これら以外にも適当なタイプのメモリを含むが、これらにも限定されないことが意図されている。
【手続補正４】
【補正対象書類名】特許請求の範囲
【補正対象項目名】全文
【補正方法】変更
【補正の内容】
【特許請求の範囲】
【請求項１】
情報伝送方法であって、
端末が、基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信することと、
前記端末が、前記指示情報に基づいて前記第２チャネルを監視するとともに、前記基地局が前記第２チャネル上で送信した構成情報を検出することとを含む情報伝送方法。
【請求項２】
前記第１チャネルは、前記第１サービスに用いられるデータチャネル又は制御チャネルを含み、且つ前記第２チャネルは、第２サービスに用いられるデータチャネル又は制御チャネルを含む請求項１に記載の方法。
【請求項３】
前記第１サービスは、前記第２サービスよりも高い優先度を持つ請求項１又は請求項２に記載の方法。
【請求項４】
前記第１サービスは、超高信頼低遅延通信ＵＲＬＬＣサービスを含み、且つ前記第２サービスは、高度化モバイルブロードバンドｅＭＢＢサービスを含む請求項３に記載の方法。
【請求項５】
端末であって、
基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信するように構成される受信モジュールと、
前記指示情報に基づいて前記第２チャネルを監視するとともに、前記基地局が前記第２チャネル上で送信した構成情報を検出するように構成される検出モジュールとを含む端末。
【請求項６】
前記第１チャネルは、前記第１サービスに用いられるデータチャネル又は制御チャネルを含み、且つ前記第２チャネルは、第２サービスに用いられるデータチャネル又は制御チャネルを含む請求項５に記載の端末。
【請求項７】
前記第１サービスは、前記第２サービスよりも高い優先度を持つ請求項５又は請求項６に記載の端末。
【請求項８】
前記第１サービスは、超高信頼低遅延通信ＵＲＬＬＣサービスを含み、且つ前記第２サービスは、高度化モバイルブロードバンドｅＭＢＢサービスを含む請求項７に記載の端末。
【請求項９】
前記第２チャネルに関連付けられる前記情報は、前記第２チャネルに対応する１つ又は複数の制御チャネル検索空間又は制御リソースセットＣＯＲＥＳＥＴ、前記第２チャネルの時間領域リソース、又は前記第２チャネルの周波数領域リソースのうちの少なくとも１つを含む請求項５から請求項８のいずれか１項に記載の端末。
【請求項１０】
前記検出モジュールは、第１検出サブモジュール及び第１復号サブモジュールを含み、そのうち、
前記第１検出サブモジュールは、前記受信モジュールから前記指示情報を受信し、前記基地局が予め構成した１つ又は複数の制御チャネル検索空間又はＣＯＲＥＳＥＴから前記第２チャネルを検出し、前記指示情報における前記タイミング実例に基づいて前記第２チャネル上に携帯されている下り制御情報ＤＣＩを検出し、前記検出したＤＣＩを前記第１復号サブモジュールに送信するように構成され、また
前記第１復号サブモジュールは、前記検出したＤＣＩに基づいて前記構成情報を復号するように構成される請求項５から請求項９のいずれか１項に記載の端末。
【請求項１１】
前記指示情報はさらに、前記構成情報を送信するための情報を含む請求項５から請求項９のいずれか１項に記載の端末。
【請求項１２】
前記構成情報を送信するための前記情報は、前記構成情報を送信するための時間領域リソース、周波数領域リソース、変調方式又はチャネル符号化方式のうちの少なくとも１つを含む請求項１１に記載の端末。
【請求項１３】
前記検出モジュールはさらに、指示情報を受信した後、前記指示情報における、前記構成情報を送信するための時間領域リソース、周波数領域リソース、変調方式又はチャネル符号化方式のうちの少なくとも１つに基づいて、前記構成情報を復号するように構成される請求項１２に記載の端末。
【請求項１４】
前記検出モジュールは、第２検出サブモジュール及び第２復号サブモジュールを含み、そのうち、
前記第２検出サブモジュールは、前記受信モジュールから前記指示情報を受信し、前記指示情報における、前記第２チャネルに対応する１つ又は複数の制御チャネル検索空間又はＣＯＲＥＳＥＴから前記第２チャネルを検出し、前記指示情報における前記タイミング実例に基づいて前記第２チャネル上に携帯されている下り制御情報ＤＣＩを検出するとともに、前記検出したＤＣＩを前記第２復号サブモジュールに送信するように構成され、また
前記第２復号サブモジュールは、前記指示情報及び前記検出したＤＣＩに基づいて前記構成情報を復号するように構成される請求項９に記載の端末。
【請求項１５】
前記第１サービスのサービスデータの一部に対してパンクチャリングを行うことにより、前記指示情報と前記サービスデータを共に前記第１チャネル上に携帯させる請求項５から請求項１４のいずれか１項に記載の端末。
【手続補正５】
【補正対象書類名】図面
【補正対象項目名】図５
【補正方法】変更
【補正の内容】
【図５】
2020509631.tif 000001
【手続補正６】
【補正対象書類名】図面
【補正対象項目名】図８Ａ
【補正方法】変更
【補正の内容】
【図８Ａ】
2020509631.tif 000002
【手続補正７】
【補正対象書類名】図面
【補正対象項目名】図８Ｂ
【補正方法】変更
【補正の内容】
【図８Ｂ】
2020509631.tif 000003